(57)【要約】【課題】  持ち運びが容易で、高い断熱性による高い燃焼効率が得られ、製造も容易なロケットストーブを提供する。  【解決手段】  断熱性耐火材で外形がほぼ直方体になるように成形した複数のブロックを組み合わせてロケットストーブを構成する。バーントンネルブロック１は、一端面から上面まで延びるバーントンネル部１ａを有する。焚口ブロック２は、該バーントンネルブロック１の手前に密着させて置いたとき、バーントンネル部１ａと連通する焚口部２ａを有する。ヒートライザーブロック３，３は、バーントンネルブロック１の上に重ねて載せたとき、バーントンネルブロック１のバーントンネル部１ａと連通し、上方に延びる貫通孔３ａを有する、五徳ブロック４は、調理器具を載せて保持する受け座４ａと噴き出し貫通孔４ｃと噴き出し貫通孔４ｃを有し、ヒートライザーブロック３の貫通孔３ａからの燃焼ガスを噴き出し貫通孔４ｃから噴き出させる。【選択図】        図１
0003223011.tif 000002
【実用新案登録請求の範囲】
【請求項１】
断熱性耐火材で外形がほぼ直方体になるように成形され、その一端面から上面まで延びる空洞よりなるバーントンネル部を有するバーントンネルブロックと、
断熱性耐火材で外形がほぼ直方体になるように成形され、前記バーントンネルブロックの手前に密着させて置いたとき、前記バーントンネル部と連通する焚口部を有する焚口ブロックと、
断熱性耐火材で外形がほぼ直方体になるように成形され、前記バーントンネルブロックの上に積み重ねたとき、バーントンネルブロックのバーントンネル部と連通し、上方に延びる貫通孔を有するヒートライザーブロックと、
断熱性耐火材で外形がほぼ直方体になるように成形され、調理器具を載せて保持する受け座を上面に有し、前記ヒートライザーブロックの上に積み重ねたとき、ヒートライザーブロックの貫通孔と連通して上方に開口する噴き出し貫通孔を有し、該噴き出し貫通孔から噴き出る燃焼ガスを前記受け座の間を通して噴き出させる噴き出し部とを有する五徳ブロックとを組み合わせて構成することを特徴とするロケットストーブ。
【請求項２】
前記バーントンネルブロック，焚口ブロック，ヒートライザーブロック，五徳ブロックは、間口，奥行き及び高さが同じ寸法の直方体であることを特徴とする請求項１に記載のロケットストーブ。
【請求項３】
前記断熱性耐火材は、水，セメント，パーライト及びメトロースの混合物を型に入れて乾燥させ、硬化させたものであることを特徴とするロケットストーブ。
【考案の詳細な説明】
【技術分野】
【０００１】
本考案は、薪ストーブの一種であり、コンロや暖房用ストーブとして利用されているロケットストーブに関するものである。
【背景技術】
【０００２】
ロケットストーブは、下部の焚き口から燃焼室となるバーントンネルを介して連結したヒートライザーと呼ばれている煙道を備え、バーントンネル及びヒートライザーの断熱性を高めて、バーントンネル及びヒートライザー内での燃焼ガスの高温を維持し、燃焼ガス中の未燃物がヒートライザー内で燃焼される。また、ロケットストーブは、ヒートライザー内の高温の燃焼ガスの強い上昇力により、バーントンネルへの空気の吸引が促進されることによって完全燃焼が実現でき、燃焼効率が高く、煙の発生量も少ないという特徴を有している。我が国では、東日本大震災の際にそのようなロケットストーブが活躍し、注目されるようになった。
【０００３】
ロケットストーブは、前述したように、バーントンネル及びヒートライザーの断熱性を高めることが重要であるが、現状では、製作上の都合等から、鉄等の金属を使って作るのが一般的になっていて、金属だけを使って高い断熱性を得ることは難しい。そこで、市販のコンクリートブロックや煉瓦を組み上げてロケットストーブを組み立てることも行われている。そのように、コンクリートブロックや煉瓦でロケットストーブを組み立てれば、高い断熱性が得られて燃焼効率が高くなる。
【０００４】
しかしながら、市販のコンクリートブロックや煉瓦を組み上げてロケットストーブを組み立てた場合、持ち運びが困難で、キャンプ等、異なる場所に移動させて使うことはできない。また、金属製のロケットストーブも、一体型のロケットストーブは、大きくて重いため持ち運びがしにくい。
【０００５】
一方、例えば、特許文献１に示されるように、金属製のロケットストーブを複数の部分に組立可能な状態に分割し、持ち運びをする際には、分割して持ち運び、現地に着いてからそれらを組み立てて使用できるようにしたロケットストーブも提案されている。そのようにすれば、容易に持ち運びができて、収納も容易になる。
【先行技術文献】
【特許文献】
【０００６】
【特許文献１】特開２０１９−２７７４３号公報
【考案の概要】
【考案が解決しようとする課題】
【０００７】
しかしながら、上記従来の分割型のロケットストーブには、金属製であるために高い断熱性が得られず、高い燃焼効率が得られにくい上、構造が複雑で製造に高いコストがかかるという問題点があった。
【０００８】
本考案は、そのような問題点に鑑み、持ち運びが容易で、高い断熱性による高い燃焼効率が得られ、製造も容易なロケットストーブを提供することを目的とするものである。
【課題を解決するための手段】
【０００９】
前記課題を解決するため、本願の請求項１にかかる考案は、断熱性耐火材で外形がほぼ直方体になるように成形され、その一端面から上面まで延びる空洞よりなるバーントンネ
ル部を有するバーントンネルブロックと、断熱性耐火材で外形がほぼ直方体になるように成形され、前記バーントンネルブロックの手前に密着させて置いたとき、前記バーントンネル部と連通する焚口部を有する焚口ブロックと、断熱性耐火材で外形がほぼ直方体になるように成形され、前記バーントンネルブロックの上に積み重ねたとき、バーントンネルブロックのバーントンネル部と連通し、上方に延びる貫通孔を有するヒートライザーブロックと、断熱性耐火材で外形がほぼ直方体になるように成形され、調理器具を載せて保持する受け座を上面に有し、前記ヒートライザーブロックの上に積み重ねたとき、ヒートライザーブロックの貫通孔と連通して上方に開口する噴き出し貫通孔を有し、該噴き出し貫通孔から噴き出る燃焼ガスを前記受け座の間を通して噴き出させる噴き出し部とを有する五徳ブロックとを組み合わせて構成することを特徴とする。
【００１０】
また、本願の請求項２にかかる考案は、請求項１にかかる考案において、前記バーントンネルブロック，焚口ブロック，ヒートライザーブロック，五徳ブロックは、間口，奥行き及び高さが同じ寸法の直方体であることを特徴とする。
【００１１】
また、本願の請求項３にかかる考案は、請求項１又は２にかかる考案において、前記断熱性耐火材は、水，セメント，パーライト及びメトロースの混合物を型に入れて乾燥させ、硬化させたものであることを特徴とする。
【考案の効果】
【００１２】
本考案のロケットストーブは、次のような効果を奏する。
すなわち、請求項１にかかる考案においては、バーントンネルブロック，焚口ブロック，ヒートライザーブロック及び五徳ブロックを、断熱性耐火材で外形がほぼ直方体になるように成形し、それらを組み合わせてロケットストーブを構成するようにしたので、持ち運びが容易で、高い断熱性による高い燃焼効率が得られ、製造も容易になる。また、一部のブロックが破損しても、破損したブロックだけを取り換えるだけですむので、メンテナンスが容易になる。
【００１３】
また、請求項２にかかる考案においては、請求項１にかかるロケットストーブにおいて、前記バーントンネルブロック，焚口ブロック，ヒートライザーブロック，五徳ブロックを、間口，奥行き及び高さが同じ寸法の直方体にしたので、各ブロックの組み合わせが自由にでき、様々なパターンのロケットストーブを作ることができる。
【００１４】
また、請求項３にかかる考案においては、請求項１又は２にかかるロケットストーブにおいて、前記断熱性耐火材として、水，セメント，パーライト及びメトロースの混合物を型に入れて乾燥させ、硬化させたものを用いたので、軽量で断熱性に優れ、燃焼中にブロック外壁に素手で触っても熱くなく、ひび割れがしにくいブロックが得られる。
【図面の簡単な説明】
【００１５】
【図１】本考案の一実施例に係るロケットストーブを示す図である。
【図２】バーントンネルブロックを示す図である。
【図３】焚口ブロックを示す図である。
【図４】ヒートライザーブロックを示す図である。
【図５】五徳ブロックを示す図である。
【図６】付加焚口ブロックを示す図である。
【図７】バーントンネルブロックの別の一例を示す図である。
【図８】焚口ブロックの別の一例を示す図である。
【考案を実施するための形態】
【００１６】
以下、本考案の実施例を図面に基づいて詳細に説明する。
【実施例１】
【００１７】
図１は、本考案の一実施例に係るロケットストーブを示す図である。図１において、１はバーントンネルブロック、２は焚口ブロック、３はヒートライザーブロック、４は五徳ブロック、５は付加焚口ブロックである。
【００１８】
バーントンネルブロック１，焚口ブロック２，ヒートライザーブロック３，五徳ブロック４及び付加焚口ブロック５は、断熱性耐火材で、外形がほぼ同形の直方体のブロック状に形成されている。例えば、間口が２０ｃｍ、奥行きが１５ｃｍ，高さが１５ｃｍとなっている。各ブロックの材料となる断熱性耐火材としては、例えば、水，セメント，パーライト及びメトロースを用い、それらの混合物を型に入れて乾燥させ、硬化させて各ブロックを製造する。
【００１９】
水とセメントに加えてパーライト及びメトロースを混合するのは、水とセメントだけでは固くて重く、８００〜１０００℃の熱に耐えきれず割れてしまうためである。そこで、断熱性，耐火性に優れた軽石系の混和剤であるパーライトと、セメントが固まった時のひび割れを防ぐ効果がある混和剤であるメトロースを混合することにした。そのようにすれば、軽量で断熱性に優れ、燃焼中にブロック外壁に素手で触っても熱くなく、ひび割れがしにくいブロックが得られる。
【００２０】
また、水，セメント，パーライト及びメトロースだけを用いたブロックは、灰色で、あまり見栄えがよくない。そこで、上記材料に加えて、パーライトと同様に断熱性，耐火性に優れた茶色の軽石系混和剤であるバーミキュライトや、通気性に優れた茶色の鹿沼土を混合すれば、茶色をしたブロックが得られ、見た目が向上する。
【００２１】
本考案のロケットストーブは、そのようにして製造したバーントンネルブロック１，焚口ブロック２，ヒートライザーブロック３，五徳ブロック４及び付加焚口ブロック５を、図１に示すように組み合わせて構成する。その際、付加焚口ブロック５は、焚口ブロック２の上に積み重ねて載せ、薪を焚口ブロック２の焚口部２ａだけでなく、付加焚口ブロック５の焚口孔５ａからも投入して燃やすことができる。
【００２２】
焚口ブロック２と付加焚口ブロック５に投入した薪は、焚口ブロック２，付加焚口ブロック５の焚口部２ａ，焚口孔５ａと、その奥のバーントンネルブロック１のバーントンネル部１ａで燃え、その燃焼ガスは、ヒートライザーブロック３，３内に縦方向に設けられている貫通孔３ａ，３ａの中を通り、五徳ブロック４の噴き出し貫通孔４ｃから噴き出るようになっている。その際、ヒートライザーブロック３，３の高い断熱性により、燃焼ガスは高温に維持され、その高い上昇力によりバーントンネル部１ａへの空気の吸引が促進され、燃焼効率が高くなる。
【００２３】
なお、付加焚口ブロック５を焚口ブロック２の上に積み重ねて載せて用いると、付加焚口ブロック５の焚口孔５ａから炎が噴き出ることがあるため、付加焚口ブロック５を用いずに、焚口ブロック２の上に平板状のブロックを載せて付加焚口ブロック５の焚口孔５ａを上から塞ぐようにしてもよい。
【００２４】
図２は、バーントンネルブロックを示す図である。バーントンネルブロック１も断熱性耐火材でブロック状に形成され、外形が直方体であり、その一端面から他端手前の上面まで延びる空洞よりなるバーントンネル部１ａを設けている。焚口ブロック２の焚口部２ａから投入された薪は、主としてバーントンネル部１ａ内で燃焼し、その燃焼ガスは、バーントンネルブロック１の上に載置されるヒートライザーブロック３の貫通孔３ａに導入される。
【００２５】
図３は、焚口ブロックを示す図である。焚口ブロック２も耐火材でブロック状に形成され、バーントンネルブロック１の手前に密着させて置いたとき、バーントンネル部１ａと連通するように焚口部２ａを設けている。
【００２６】
図４は、ヒートライザーブロックを示す図である。ヒートライザーブロック３も耐火材でブロック状に形成され、バーントンネルブロック１の上に積み重ねて用いる。バーントンネルブロック１の上に積み重ねると、バーントンネルブロック１のバーントンネル部１ａ後端部と貫通孔３ａとが連通し、貫通孔３ａが煙突の役目をはたして燃焼ガスを上方に吸い上げる。このヒートライザーブロック３は、図１に示すように、複数個を積み重ねてもよいし、１個だけ積み重ねるようにしてもよい。そのように積み重ねる個数を選択することにより、ヒートライザー（煙道）の長さを最適な長さに調整することができる。
【００２７】
図５は、五徳ブロックを示す図である。五徳ブロック４も断熱性耐火材でブロック状に形成され、ヒートライザーブロック３の上に積み重ねて用いる。中央には、上下方向に、ヒートライザーブロック３の貫通孔３ａと同径でそれと対向する位置に噴き出し貫通孔４ｃが設けられ、上縁には、４隅に受け座４ａ，４ａ，４ａ，４ａを残して、斜めに切り込みを入れて切り欠き、噴き出し部４ｂ，４ｂ，４ｂ，４ｂを設けている。そして、ヒートライザーブロック３の上に積み重ねたとき、ヒートライザーブロック３の貫通孔３ａと連通して上方に開口する噴き出し貫通孔４ｃから噴き出る燃焼ガスを受け座４ａ，４ａ，４ａ，４ａの間に形成した噴き出し部４ｂ，４ｂ，４ｂ，４ｂを通して噴き出させ、受け座４ａ，４ａ，４ａ，４ａの上に載置した鍋、フライパン，やかん等の調理器具の加熱を行う。
【００２８】
図６は、付加焚口ブロックを示す図である。このブロックは、基本的にはヒートライザーブロック３と構造が同じで、必要に応じて、焚口ブロック２の上に積み重ねて載せ、薪を焚口ブロック２の焚口部２ａだけでなく、付加焚口ブロック５の焚口孔５ａからも投入して燃やすことができるようにしている。
【００２９】
本考案のロケットストーブは、このように、バーントンネルブロック１，焚口ブロック２，ヒートライザーブロック３及び五徳ブロック４を、断熱性耐火材で外形がほぼ直方体になるように成形し、それらを組み合わせてロケットストーブを構成するようにしたので、持ち運びが容易で、高い断熱性による高い燃焼効率が得られる。また、水・セメント等を混合した材料を型に形入れて乾燥・硬化させるだけなので、製造も容易になる。また、一部のブロックが破損しても、破損したブロックだけを取り換えるだけですむので、メンテナンスが容易になる。また、使用後は、各ブロックをバラバラに分離することで、消火時間，冷却時間を短縮することができる。バーントンネルブロック１や焚口ブロック２の内部に残った灰の処理も容易である。
【実施例２】
【００３０】
図７は、バーントンネルブロックの別の一例を示す図である。この実施例では、バーントンネルブロックとして、図２に示したバーントンネルブロック１の代わりに用いる。このバーントンネルブロック１０では、バーントンネル部１０ａは、エルボ状の閉じた空洞になっている。前面に図８に示すような焚口ブロック２０を置き、その焚口部２０ａの出口と連通するように配置されている。また、バーントンネル部１０ａの出口は、その上に載置されるヒートライザーブロック３の貫通孔３ａと連通するように配置されている。
【００３１】
さらに、図７に示す構造のブロックを、焚口ブロックとしても利用することができる。すなわち、バーントンネルブロック１０の前側にバーントンネル部１０ａの側面同士を対向させて配置する。そして、上方に開口するバーントンネル部１０ａの開口部を焚口とし
て利用する。そのようにすれば、Ｊ型のロケットストーブとなる。
【００３２】
なお、上記実施例では、断熱性耐火材として、水，セメント，パーライト及びメトロースよりなる混合物、あるいは、さらにバーミキュライトや、鹿沼土を加えて混合したものを用いたが、それに限定されず、断熱性を有する耐火材で、加工性可能なものであれば、その他の材料を用いることもできる。また、上記実施例では、ヒートライザーブロック３の上に五徳ブロック４を載せてコンロとして用いるようにしたが、五徳ブロック４の代わりに、例えば、噴き出し貫通孔４ｃの上面を覆って、燃焼ガスを横方向に噴き出させるようにした、ストーブ専用のアタッチメントを用いることにより、コンロからストーブへと切り替えることもできる。
【符号の説明】
【００３３】
１，１０  バーントンネルブロック
１ａ，１０ａ  バーントンネル部
２，２０  焚口ブロック
２ａ，２０ａ  焚口部
３  ヒートライザーブロック
３ａ  貫通孔
４  五徳ブロック
４ａ  受け座
４ｂ  噴き出し部
４ｃ  噴き出し貫通孔
５  付加焚口ブロック
５ａ  焚口孔
【図１】
0003223011.tif 000003
【図２】
0003223011.tif 000004
【図３】
0003223011.tif 000005
【図４】
0003223011.tif 000006
【図５】
0003223011.tif 000007
【図６】
0003223011.tif 000008
【図７】
0003223011.tif 000009
【図８】
0003223011.tif 000010
【手続補正書】
【提出日】令和1年7月9日(2019.7.9)
【手続補正１】
【補正対象書類名】実用新案登録請求の範囲
【補正対象項目名】全文
【補正方法】変更
【補正の内容】
【実用新案登録請求の範囲】
【請求項１】
断熱性耐火材で外形がほぼ直方体になるように成形され、その一端面から上面まで延びる空洞よりなるバーントンネル部を有するバーントンネルブロックと、
断熱性耐火材で外形がほぼ直方体になるように成形され、前記バーントンネルブロックの手前に密着させて置いたとき、前記バーントンネル部と連通する焚口部を有する焚口ブロックと、
断熱性耐火材で外形がほぼ直方体になるように成形され、前記バーントンネルブロックの上に積み重ねたとき、バーントンネルブロックのバーントンネル部と連通し、上方に延びる貫通孔を有するヒートライザーブロックと、
断熱性耐火材で外形がほぼ直方体になるように成形され、調理器具を載せて保持する受け座を上面に有し、前記ヒートライザーブロックの上に積み重ねたとき、ヒートライザーブロックの貫通孔と連通して上方に開口する噴き出し貫通孔を有し、該噴き出し貫通孔から噴き出る燃焼ガスを前記受け座の間を通して噴き出させる噴き出し部とを有する五徳ブロックとを組み合わせて構成することを特徴とするロケットストーブ。
【請求項２】
前記バーントンネルブロック，焚口ブロック，ヒートライザーブロック，五徳ブロックは、間口，奥行き及び高さが同じ寸法の直方体であることを特徴とする請求項１に記載のロケットストーブ。
【請求項３】
前記断熱性耐火材は、水，セメント，パーライト及びメトロースの混合物を型に入れて乾燥させ、硬化させたものであることを特徴とする請求項１又は２に記載のロケットストーブ。